(57)【要約】【課題】巻取カラーの中心駆動軸への取付け幅より狭い幅の細幅帯状シートをフリクション巻軸によって品質良く巻取ることができるシート分割巻取装置を提供する。【解決手段】  複数の巻芯Ｃを個々の巻芯アダプター１４を介して巻取カラー群１３上に装着する。巻取カラー１０は中心駆動軸８に第１のころがり軸受９を介して装着してある。巻芯アダプター１４は、巻芯Ｃを貫通する環状本体１７と、巻芯Ｃを環状本体１７に固定する巻芯固定手段１８とからなり、環状本体１７の端部に装着した第２のころがり軸受１９を備え、隣り合う環状本体１７同士は第２のころがり軸受１９を挟んで接する。細幅帯状シートＳは環状本体１７の巻取カラー群１３への取付け幅をフリクション巻軸１の本数で除算して得られる商に等しい幅を有しており、環状本体１７の内周面の幅は巻取カラー１０の中心駆動軸への取付け幅より狭い。【選択図】図２
2014118253.tif 000002
【特許請求の範囲】
【請求項１】
広幅の帯状シートをスリッターで複数条の細幅帯状シートに分割しながら、その分割された複数の細幅帯状シートを、その幅方向に並ぶ順に複数のフリクション巻軸へ振り分けて供給すると共に前記フリクション巻軸により個々の巻芯のまわりに一斉に巻取るシート分割巻取装置において、前記フリクション巻軸は、中心駆動軸と、該中心駆動軸に第１のころがり軸受を介して回転自在に装着した環状の多数の巻取カラーと、前記多数の巻取カラーに摩擦部材を個別に押付けることにより、前記中心駆動軸の回転力を前記巻取カラーに、前記中心駆動軸に対して個々にスリップ回転可能に伝達する回転力伝達手段と、前記多数の巻取カラーからなる巻取カラー群上に前記巻芯を装着するための、巻芯毎の環状の巻芯アダプターと、前記巻取カラー群が貫通している前記巻芯毎の巻芯アダプターからなる巻芯アダプター群を、前記巻取カラー群の長手方向における所定位置に拘束する巻芯アダプター群位置決め手段とからなり、前記巻芯アダプターは、前記巻取カラー群に外挿して巻取カラー上に固定する環状本体と、前記環状本体に外挿した前記巻芯を前記環状本体上に固定する巻芯固定手段と、前記環状本体の少なくとも一方の端部に該環状本体と同心に装着した第２のころがり軸受とを備え、前記巻芯アダプター群において隣り合う関係にある巻芯アダプターの環状本体同士は夫々前記第２のころがり軸受を挟んで接することと、前記細幅帯状シートは、前記環状本体の巻取カラー群上への取付け幅を前記フリクション巻軸の数で除算して得られる商に等しい幅を有しており、かつ前記環状本体の内周面の幅は前記巻取カラーの前記中心駆動軸への取付け幅より狭いことを特徴とするシート分割巻取装置。
【請求項２】
前記巻芯アダプターは、前記第２のころがり軸受を備える代わりに、前記環状本体の少なくとも一方の端面に該環状本体と同心に形成した環状溝と、その環状溝に収容した複数の球体とを備え、前記巻芯アダプター群において隣り合う関係にある巻芯アダプターの環状本体同士は夫々前記複数の球体を挟んで互い接するようにした請求項１に記載のシート分割巻取装置。
【請求項３】
前記巻芯アダプター群位置決め手段は、前記巻芯アダプター群にその長手方向の所定の押圧力を付与することができる請求項１に記載のシート分割巻取装置。
【発明の詳細な説明】
【技術分野】
【０００１】
本発明は、プラスチックフィルム、紙、金属箔等の広幅の帯状シートをスリッターで複数条の細幅帯状シートに分割しながら、その分割された複数の細幅帯状シートを、その幅方向に並ぶ順に複数本のフリクション巻軸へ振り分けて供給すると共に、そのフリクション巻軸により個々の巻芯のまわりに一斉に巻取るシート分割巻取装置に関する。
【背景技術】
【０００２】
従来のシート分割巻取装置が備えるフリクション巻軸としては、中心駆動軸と、該中心駆動軸に同心かつ回転自在に装着した環状の多数の巻取カラーと、前記中心駆動軸の回転力を前記各巻取カラーに、該巻取カラーが中心駆動軸に対してスリップ回転可能に伝達する回転力伝達手段とを備え、前記巻取カラー外挿した円筒状の巻芯の内周面に球体を押付けることにより、その巻芯を巻取カラーに固定することができるように構成したものがある（例えば、特開平２−１３２０４３号公報参照）。
【０００３】
しかし、このフリクション巻軸では、巻芯の幅が、例えば１個の巻取カラーの幅と同程度に狭い場合、その巻芯が巻取カラーに傾いた状態、つまり巻芯の中心軸線に直角に交わる該巻芯の端面が巻取カラーの中心軸線に直角に交わらない状態で保持され易い。そして、このように傾いた状態で保持された巻芯は、巻取中に、その端部外周面がその半径方向に往復移動すると共にその端面がその幅方向に往復移動する状態で回転するので、つまり巻芯に振れ回り生がずるので、この巻芯上に帯状シートを巻取ると、その巻取ロールの端面が不揃いとなったり、巻崩れを生じたりする。
【０００４】
また、従来のフリクション巻軸には、複数の幅の狭い巻芯とその巻芯相互間に配置した円筒状のスペーサとからなる巻芯群を管状の巻芯アダプターの本体によって貫通し、その巻芯群を管状の本体の長手方向に沿って締付けることにより、巻芯アダプターに装着し、その巻芯アダプターを、中心駆動軸に同心かつ回転可能に装着してある巻取カラー群の外周に装着し、中心駆動軸を回転駆動すると共に、中心駆動軸の回転力を巻取カラー群にスリップ回転可能に伝達し、巻取カラーから巻芯アダプターに回転力を伝達して巻取りを行うものがある（例えば特開２００６−３１５８３６号公報参照）。
【０００５】
上述の巻芯アダプターによれば、１個の巻取カラーの幅より狭い幅の巻芯を保持することができるが、巻芯群の締付力を大きくすると、巻芯が例えば紙管や合成樹脂管のように機械的強度が比較的小さいものでは、その巻芯が巻取途中で圧縮応力に抗しきれずに弾性限界を超えて縮んでしまい、各巻芯に適正な回転力を伝達できなくなってしまうことがある。また巻芯群の締付力が大き過ぎると巻芯群はアダプター本体に固定され、帯状シート巻取中には巻芯アダプター本体と各巻芯とは一体的に回転するため、帯状シートの厚みムラ等に起因して各巻芯上の巻取ロールの半径に差異が生じると、巻取ロール間で外周速度に差が生じる。その結果、各帯状シートの巻取張力の大きさにばらつきが生じて巻取ロールの巻崩れや巻絞りが発生して巻取不能になる。そこで、巻芯群の締付力を小さくすれば、巻芯群はアダプター本体に対して個々にスリップ回転し得るが、巻取中に巻芯群とアダプター本体とがスリップして摩擦損失が生ずると共に、スペーサと巻芯との間でもスリップが生じて摩擦損失が生ずる。ところが、上述のように巻芯群を長手方向に締付けて各巻芯に回転力を伝達する場合、巻芯アダプター本体の回転力が巻芯群の両端部から中央部へ巻芯とスペーサとの摩擦力によって伝達されるので、摩擦損失が生ずると、巻芯が巻芯群の端から遠い位置にあるものほど、その巻芯に伝達される回転力が低減する。そのため、各巻芯に所要の回転力を正確に付与することができず、同時に形成した巻取ロールであっても、その巻取ロール間で巻取品質が不均一になり易い。そして細幅帯状シートの幅が狭くなればなるほど摩擦損失の悪影響は顕著になる傾向にある。また巻芯が紙管等ように比較的機械的強度が小さい材料でできている場合、巻取中に巻芯の端面がスペーサの端面と擦れて磨耗することで粉塵が発生し、それが細幅帯状シートに付着して不良品になるという問題も発生し易い。
【０００６】
更に、巻芯群を巻芯アダプターに装着するには、複数の巻芯だけでなく巻芯毎にスペーサを装着する必要があり、スペーサと巻芯とを手作業で交互に巻芯アダプターの本体の一端から外挿して巻芯群とした後、巻芯アダプターの本体の一端にロックナットを取付けて適正な締付力で巻芯群を締付けなければならないので、この装着作業は手間と時間がかかる。
【先行技術文献】
【特許文献】
【０００７】
【特許文献１】特開平２−１３２０４３号公報
【特許文献２】特開２００６−３１５８３６号公報
【発明の概要】
【発明が解決しようとする課題】
【０００８】
本発明は、上述のような問題点に鑑み、細幅帯状シートがフリクション巻軸における巻取カラーの中心駆動軸への取付け幅より狭い幅ものであっても、その細幅帯状シートをフリクション巻軸により品質よく巻芯のまわりに巻取ることができるシート分割巻取装置を提供することを課題としている。
【課題を解決するための手段】
【０００９】
そこで、本発明は、広幅の帯状シートをスリッターで複数条の細幅帯状シートに分割しながら、その分割された複数の細幅帯状シートを、その幅方向に並ぶ順に複数のフリクション巻軸へ振り分けて供給し、前記フリクション巻軸上に所定の相互間隔をおいて支持した個々の巻芯のまわりに一斉に巻取るシート分割巻取装置において、前記フリクション巻軸は、中心駆動軸と、該中心駆動軸に第１のころがり軸受を介して回転自在に装着した環状の多数の巻取カラーと、前記多数の巻取カラーに摩擦部材を個別に押付けることにより、前記中心駆動軸の回転力を前記巻取カラーに、前記中心駆動軸に対して個々にスリップ回転可能に伝達する回転力伝達手段と、前記多数の巻取カラーからなる巻取カラー群上に前記巻芯を装着するための、巻芯毎の環状の巻芯アダプターと、前記巻取カラー群が貫通している前記巻芯毎の巻芯アダプターからなる巻芯アダプター群を、前記巻取カラー群の長手方向における所定位置に拘束する巻芯アダプター群位置決め手段とからなり、前記巻芯アダプターは、前記巻取カラー群に外挿して巻取カラー上に固定する環状本体と、前記環状本体に外挿した前記巻芯を前記環状本体上に固定する巻芯固定手段と、前記環状本体の少なくとも一方の端部に該環状本体と同心に装着した第２のころがり軸受とを備え、前記巻芯アダプター群において隣り合う関係にある巻芯アダプターの環状本体同士は夫々前記第２のころがり軸受を挟んで接することと、前記細幅帯状シートは、前記環状本体の巻取カラー群上への取付け幅を前記フリクション巻軸の数で除算して得られる商に等しい幅を有しており、かつ前記環状本体の内周面の幅は前記巻取カラーの前記中心駆動軸への取付け幅より狭いことを特徴とする。
【発明の効果】
【００１０】
本発明によれば、フリクション巻軸は、細幅帯状シートの幅が当該フリクション巻軸における巻取カラーの中心駆動軸への取付け幅より狭くても、その細幅帯状シートの巻芯を精度良く所定の間隔をとって保持すると共に振れ回りが生じないよう確実に保持することができ、しかも、その巻芯に付与する回転力の誤差を小さくすることができる。それゆえ、その細幅帯状シートを巻芯のまわりに品質よく巻取ることができる。そしてシート分割巻取装置において分割巻取り可能な細幅帯状シートの幅を一層狭幅化することができるようになる。また従来のように複数の細幅帯状シートをその幅方向に捌き装置等を介して離間させてから巻取る必要もなく、また巻芯が紙管等であっても巻芯がスペーサと擦れながら回転することがないので巻芯の磨耗粉による帯状シートの汚損の心配もない。更に、巻芯アダプターへの巻芯装着時における巻芯群の締付力の調節や巻芯相互間へのスペーサの装着は不要であり、巻取カラー群上への巻芯アダプター装置着時にも巻芯アダプター相互間へのスペーサの装着は不要であるので、巻芯アダプターへの巻芯装着作業や、巻取カラー群上への巻芯アダプター装着作業を比較的簡単に短時間で行うことができ、シート分割巻取装置の稼働率の向上を図ることができる。
【図面の簡単な説明】
【００１１】
【図１】図１は、本発明の一実施例に係るシート分割巻取装置の概略説明図である。
【図２】図２は、図１に示すフリクション巻軸の要部を示す縦断面図である。
【図３】図３は、図２におけるフリクション巻軸のＡ−Ａ矢視断面図である。
【図４】図４はフリクション巻軸の概略正面図である。
【図５】図５は巻芯アダプターの巻芯装着前の状態を示す斜視図である。
【図６】図６は巻芯アダプターの他の実施態様を説明するための要部断面図である。
【図７】図７は巻芯アダプターの更に他の実施態様を説明するための要部断面図である。
【発明を実施するための形態】
【００１２】
図１に示すシート分割巻取装置は、広幅の帯状シートＳ０をスリッターＫで複数条の細幅帯状シートＳに分割しながら、その分割された複数の細幅帯状シートＳを、その幅方向に並ぶ順に二つのフリクション巻軸１へ振り分けて供給し、フリクション巻軸１によって所定の相互間隔をおいて保持した個々の巻芯Ｃのまわりに一斉に巻取る。巻芯Ｃのまわりに巻取った細幅帯状シートＳは巻取ロールＲとなる。スリッターＫは、複数の円筒状の下刃２を有する被駆動の下刃ローラ３と、回転支持軸４に装着した、広幅の帯状シートＳ０を挟んで下刃２に噛み合う複数の円板状の上刃５とからなる公知のものである。下刃２は細幅帯状シートＳの最小幅と同じピッチで並んでおり、回転支持軸４に装着する上刃５の個数と、上刃５の回転支持軸４への固定位置を変えることで、帯状シートＳ０の分割幅を変更することができる。広幅の帯状シートＳ０は、図示しない原反ロールから巻戻されてスリッターＫへ供給されるようになっている。スリッターＫを通過した直後に帯状シート幅方向に並んでいる複数の細幅帯状シートＳは案内ローラ６上で上下に振り分けられて上下の振り分け細幅帯状シート群となり、その上下の振り分け細幅帯状シート群は夫々案内ローラ７を経てフリクション巻軸１上の巻芯Ｃに至る。
【００１３】
図２に示すように、フリクション巻軸１は、中心駆動軸８と、該中心駆動軸８に第１のころがり軸受９を介して回転自在に装着した環状の多数の巻取カラー１０と、多数の巻取カラー１０に摩擦部材１１を個別に押付けることにより、中心駆動軸８の回転力を巻取カラー１０に、中心駆動軸８に対して個々にスリップ回転可能に伝達する回転力伝達手段１２と、多数の巻取カラー１０からなる巻取カラー群上１３に巻芯Ｃを装着するための、巻芯Ｃ毎の環状の巻芯アダプター１４と、巻取カラー群１３が貫通している巻芯Ｃ毎の巻芯アダプター１４からなる巻芯アダプター群１５を、巻取カラー群１３の長手方向における所定位置に拘束する巻芯アダプター群位置決め手段１６とからなる。
【００１４】
巻芯アダプター１４は、巻取カラー群１３に外挿して巻取カラー１０上に固定する環状本体８と、環状本体８に外挿した巻芯Ｃをその環状本体８上に固定する巻芯固定手段１８と、環状本体１７の一方の端部に該環状本体１７と同心に装着した第２のころがり軸受１９とを備え、巻芯アダプター群１５において隣り合う関係にある巻芯アダプター１４の環状本体１７同士は夫々第２のころがり軸受１９を挟んで接する。
【００１５】
第１のころがり軸受９並びに第２のころがり軸受１９はこの実施例では４点接触玉軸受である。第２のころがり軸受１９は、その外輪１９ａを環状本体１７の左側の端部に形成した穴に装着してある。巻芯アダプター１４を巻取カラー群１３の外周に装着したとき、第２のころがり軸受１９の内輪１９ｂの左側の端面は、左隣りの巻芯アダプター１４の環状本体１７の右側の端面に当接する。なお、第２のころがり軸受１９は、所定のスラスト荷重を受けることができるものであれば、例えば深みぞ玉軸受等、他のころがり軸受であってもよい。
【００１６】
巻芯Ｃは、環状本体１７の巻取カラー群１３上への取付け幅を、シート分割巻取装置が備えるフリクション巻軸１の数で除算して得られる商に等しい幅を有しており、環状本体１７の内周面の幅は巻取カラー１０の中心駆動軸８への取付け幅より狭くしてある。それゆえ、この環状本体１７は１個の巻取カラー１０で把持することができるが、２個の巻取カラー１０で把持することができない。つまり１個の環状本体１７を１個の巻取カラーに対応させて配置してある。それによって、中心駆動軸８から１個の巻取カラー１０に伝達される所要の回転力を、１個の環状本体１７に伝達し、更に環状本体１７に固定した１個の巻芯Ｃに伝達することができる。そして巻芯Ｃの幅より環状本体１４の幅を大きくすることができるので、巻芯Ｃを適正な姿勢で確実に保持することができる巻芯アダプター１４を得ることが可能になる。図４に示すように巻芯Ｃは細幅帯状シートＳの幅と同じ幅である。
【００１７】
この実施例の場合、図２において、環状本体１７の巻取カラー群１３上への取付け幅は、例えば隣り合う環状本体１７に装着してある２個の第２のころがり軸受１９の内輪１９ｂのうちの片方の内輪１９ｂの左側端面から、もう片方の内輪１９ｂの左側端面までの距離であり、５ミリメートルにしてある。また巻取カラー１０の中心駆動軸８への取付け幅は、例えば隣り合う巻取カラー１０について、それらを支持する２個の第１のころがり軸受９の内輪９ｂのうちの片方の内輪９ｂの右側端面から、もう片方の第１のころがり軸受９の内輪９ｂの右側端面までの距離であり、５ミリメートルにしてある。また、図４に示す各細幅帯状シートＳは夫々最小幅に分割されたものである。図１に示すように、このシート分割巻取装置はフリクション巻軸１を二つ備えているので、各細幅帯状シートＳの幅は、夫々環状本体１７の取付け幅の半分であり、２．５ミリメートルである。また環状本体１７の内周面の幅は、第２のころがり軸受１９を装着するための穴の部分を除く内周面の幅であり、約２ミリメートルである。
【００１８】
図５は巻芯Ｃを装着する前の巻芯アダプター１４を示しており、この巻芯アダプター１４において、環状本体１７は一方の端部に、巻芯Ｃの一方の端面が当接する鍔２０を備えている。巻芯固定手段１８は、環状本体１７の、巻芯Ｃを外挿する外周面１７ａを挟んで鍔２０と反対側に外周面１７ａと同心に形成した小径部１７ｂと、小径部１７ｂの外周面にすきまばめすることができる内周面２１ａ並びに、この内周面２１ａに同心に形成した円錐台状の傾斜外周面２１ｂを前部に有する押圧リング２１と、環状本体１７の外周面１７ａと小径部１７ｂの間の肩の部分に固着した永久磁石２２と、この永久磁石２２に逆の磁極が対向するように押圧リング２１に固着した永久磁石２３とからなる。この巻芯アダプター１４に巻芯Ｃを装着するには、環状本体１７から押圧リング２１を取外した状態で、環状本体１７の外周面１７ａに巻芯Ｃを外挿した後、環状本体１７の小径部１７ｂに押圧リング２１の穴２１ａを嵌め合わせることにより、環状本体１７に押圧リング２１を装着し、押圧リング２１を巻芯Ｃに押付ける。そうすると押圧リング２１の円錐台部２１ｂが巻芯Ｃの鍔２０と反対側の端部内周面に係合して巻芯Ｃを鍔２０へ向けて押すと共に円錐台部２１ｂと同心になるように半径方向に押し、巻芯Ｃの端面が鍔２０に当接することで、環状本体１７の中心軸線と巻芯Ｃの端面が直角に交わるように姿勢が修正され、巻芯Ｃは鍔２０と円錐台部２１ｂで挟圧した状態で保持される。その後、押圧リング２１は永久磁石２２と永久磁石２３との吸引力を受けるので、巻芯Ｃへの押圧を維持することができ、巻芯Ｃは環状本体１７に固定して保持される。巻芯Ｃの環状本体１７に対する円周方向の保持力は主に巻芯Ｃと鍔２０との摩擦力により生じ、その摩擦力は押圧リング２１に作用する永久磁石２２と永久磁石２３とによる吸引力に基づいて生じるため、その吸引力が必要な大きさになるように永久磁石２２、２３の個々の吸引力や個数や配置が考慮してある。巻芯アダプター１４から巻芯Ｃを取外すには、手で押圧リング２１を環状本体から磁石２２、２３の吸引力に抗して抜取った後、巻芯Ｃから環状本体１７を抜取る。この実施例の巻芯アダプター１４は、巻芯Ｃの着脱が容易であり、構造も簡素であるので、細幅帯状シートを巻取る場合には都合が良い。
【００１９】
図３に示すように、巻取カラー１０は環状体でできており、巻芯アダプター１４の環状本体１７の内周面を把持する把持機構２４を備えている。把持機構２４は、巻取カラー１０の円周方向の少なくとも３箇所（この実施例では６箇所）に等間隔に形成した、中心駆動軸８の回転方向に次第に深くなる細溝２５と、細溝２５に夫々配置した球体２６と、球体２６を細溝２５の深い部分と浅い部分とに転動可能かつ脱落不能に保持する、巻取カラー１０の外周に回転可能に装着した保持環２７とからなる。保持環２７の球体２６の収容部は、保持環２７の外周面の開口の幅が球体２６の直径より僅かに狭くなるように形成してある。なお巻取カラー１０、球体２６及び巻芯アダプター１４の環状本体１７等は、例えば炭素鋼のような比較的機械的強度の大きい材料でできており、十分な加工精度を有している。
【００２０】
図４に示すように、巻取カラー群１３は、それを挟むように中心駆動軸８上に配置して固定したカラー８ｃとカラー８ｄとによって、中心駆動軸１の長手方向における所定位置に拘束してある。中心駆動軸８の左端部は、軸受装置Ｂにより回転可能に支持してあり、中心駆動軸８の右端部の端面には、スピンドル２８の先端に設けた円錐台状の軸頭２９に嵌め合わせ可能に穴が形成してある。スピンドル２８はモータＭにより回転駆動することができ、中心駆動軸８の右端部の穴に軸頭２９を嵌め合わせることにより、中心駆動軸８の右端部は、スピンドル２８によって支持されると共に中心駆動軸８の右端部と軸頭２９とに設けた爪が噛合ってスピンドル２８の回転が中心駆動軸８に伝達されるようになっている。帯状シートＳの巻取中は、中心駆動軸８の右端部をスピンドル２８により支持しておき、巻取ロールＲを取外したり巻芯Ｃを装着したりするときは、中心駆動軸８の右端部を軸頭２９から後退させ、中心駆動軸８を片持ち支持の状態にすることができるようになっている。
【００２１】
巻芯アダプター群位置決め手段１６は、この実施例では巻取カラー群１３上において巻芯アダプター群１５を挟むように所定位置に配置した左右の位置決め環３０、３１からなる。左右の位置決め環３０及び３１は夫々巻取カラー群１３に着脱自在であり、左側の位置決め環３０は、中心駆動軸８の左側の端部付近の段付部８ａの外周面に嵌めてあり、その左側の端部は中心駆動軸８に形成した大径部８ｂの肩に当接している。そのため、位置決め環３０は、巻芯アダプター群１５に右側の位置決め環３１から軸線方向に作用する押圧力に抗して巻芯アダプター群１５の左側への移動を阻止することができる。左側の位置決め環３０と巻芯アダプター群１５との間にはスペーサ３２が着脱可能に嵌めてある。  
【００２２】
右側の位置決め環３１は、巻取カラー群１３の外周に装着してあり、その左側の端部には、図２に示すように巻芯アダプター１４と同様にころがり軸受３３が装着してあり、図４に示すように巻取中、スペーサ３４を介して、環状の押圧部材３５から押圧力を受け、巻芯アダプター群１５を押圧した状態を維持することができる。押圧部材３５は可動腕３６の先端部に装着してあり、可動腕３６は、流体圧シリンダ装置３７により中心駆動軸８の長手方向に押し引き可能に設けてある。流体圧シリンダ装置３７により可動腕３６を所定の力で押すと、スペーサ３４を介して位置決め環３１が巻芯アダプター群１５に押付けられる。それによって、位置決め環３０と位置決め環３１は巻芯アダプター群１５を所定の位置に位置決めすると共に、所定の押圧力を巻芯アダプター群１５に付与することができる。なお巻取条件等によってはスペーサ３２やスペーサ３４が不要の場合もあり得る。
【００２３】
図２及び図３に示すように回転力伝達手段１２は、中心駆動軸８の中空部に、ゴム等の伸縮可能な材料からなる密封性のあるチューブ３８を配置し、チューブ３８内に圧縮空気を導入してそのチューブ３８を膨張させ、その膨張力によって、摩擦部材１１を巻取カラー１０の内周面に押付け、摩擦部材１１と巻取カラー１０の内周面との間に生ずる摩擦力に応じた回転力を中心駆動軸８から巻取カラー１０に伝達することができるように構成してある。この実施例の場合、巻取カラー２の装着間隔が狭いので、各巻取カラー１０に摩擦部材１１を個別に押付けるために、１個の巻取カラー１０に押付ける摩擦部材１１を１個とし、各摩擦部材１１を夫々円柱状の保持部材１１ａによって保持し、その保持部材１１ａを、中心駆動軸８の長手方向に９０度ずつ回転角度を隔てて配置した、中心駆動軸８の外周面から中空部に通じる孔に挿入している。
【００２４】
図４に示すフリクション巻軸１から巻取ロールＲを取外すには、中心駆動軸８を巻取ロールＲに対して巻取時と反対方向に回転させるか、又は巻取ロールＲを中心駆動軸８に対して巻取時と同じ方向に回転させることにより、巻芯アダプター１４の環状本体１７に対して巻取カラー１０を、図４の矢印Ａ１が指す方向の反対方向に回転させて、球体２６を細溝２５の深い部分に移動させる。その後、中心駆動軸８を右端が自由端となる片持ち支持状態にして、中心駆動軸８の右端から巻取ロールＲを巻芯アダプター１４と共に抜取る。この実施例では、巻芯アダプター１４を抜取る前に、スペーサ３４、右側の位置決め環３１を抜取る。また流体圧シリンダ装置３７により押圧部材３５を右方へ後退させておく。巻芯アダプター１４を巻取カラー群１３から抜取るとき、環状本体１７の内周面に係合する球体２６は細溝２５に直交する方向にも回転し得るので巻芯アダプター１４を抜取り易い。
【００２５】
帯状シートＳを巻取るには、予め各帯状シートＳの巻芯Ｃを夫々巻芯アダプター１４に装着しておき、その巻芯アダプター１４を、夫々中心駆動軸８の右端から巻取カラー群１３の外周に所要位置まで差し込み、その後、更に右側の位置決め環３１、スペーサ３２を差し込む。次に中心駆動軸８の右端をスピンドル２８で支持した状態にする。その後、流体圧シリンダ装置３７を作動させて可動腕３６を左方へ進出させ、巻取終了までその状態を維持する。それによって、巻芯アダプター群１５は、その長手方向の押圧力を受け、巻取カラー群１３の長手方向における所定位置に拘束される。そして巻芯アダプター群１５において隣り合う関係にある巻芯アダプター１４の環状本体１７同士は夫々第２のころがり軸受１９を挟んで接するので、各巻芯アダプター１４は正確に位置決めされると共に、環状本体１７はその中心軸線が中心駆動軸８の中心軸線に対して傾かないように姿勢を保持され、巻芯アダプター１４上の巻芯Ｃも適正な姿勢で中心駆動軸８に対して正確に位置決めされる。しかも図２に示すように１個の環状本体１７は１個の巻取カラー１０上に配置され、当該環状本体１７の内周面に当該巻取カラー１０に備えた把持機構２４の球体２６が係合可能になる。その後、各巻芯Ｃに狭幅帯状シートの先端を止着して、図４に示すモータＭを起動すると、中心駆動軸８は、図３において矢印Ａ１が指す方向に回転し、各巻取カラー１０には個々に摩擦部材１１を介して中心駆動軸８の回転力が伝達される。一方、巻芯Ｃには帯状シートＳの張力に応じた回転抵抗が生じる。そのため、巻取カラー１０は、巻芯アダプター１４の環状本体１７に対して中心駆動軸８と同方向に回転しようとするので、球体２６が細溝２５の浅い方へ移動すると共に、保持環２７が巻取カラー１０に対して中心駆動軸８の回転方向と反対の方向に回転し、各球体２６は夫々の細溝２５の底面によって等量ずつ同時に押上げられて環状本体１７の内周面を押圧する。それによって環状本体１７は巻取カラー１０と同心に把持され、巻芯Ｃは巻芯アダプター１４並びに巻取カラー１０を介して当該巻芯Ｃの中心軸線と中心駆動軸８の中心軸線とが一致するように保持されると共に、環状本体１７及び巻取カラー１０と一体になって振れ回りしないように回転し、その巻芯Ｃのまわりに細幅帯状シートＳが巻取られる。
【００２６】
細幅帯状シートＳの巻取中に隣り合う巻取ロールＲの巻取半径に差が生じることにより両者の回転数に差が生じ、それによって、巻芯Ｃを装着した巻芯アダプター１４の環状本体１７相互間でスリップが生じたとしても、隣り合う関係にある巻芯アダプター１４の環状本体１７同士は夫々ころがり軸受１９を挟んで接するので、環状本体１７相互間のスリップによる摩擦損失は比較的小さいものになる。また、環状本体１７は１個の巻取カラー１０によって把持され、中心駆動軸８に対して第１のころがり軸受９を介して巻取カラー１０と一体になって回転するので、巻取カラー１０と中心駆動軸８との間の摩擦損失は比較的小さいものになる。それゆえ、摩擦部材１１と巻取カラー１０との摩擦力によって中心駆動軸８から巻芯Ｃに伝達される回転力の、摩擦損失による低減は僅かなものになる。
【００２７】
したがって、細幅帯状シートＳの幅が、巻取カラー１０の中心駆動軸８への取付け間隔に相当する幅の半分であっても、その細幅帯状シートＳを巻取る巻芯Ｃは中心駆動軸８に対し、巻芯アダプター１４並びに巻取カラー１０を介して振れ回りしないように保持されると共に、巻芯Ｃに伝達される回転力の誤差が小さくなって各細幅帯状シートＳに正確な巻取張力を付与することができ、品質の良い巻取ロールを得ることができるようになる。
【００２８】
以上、一実施例により本発明を説明したが、本発明の実施態様は発明の要旨を変えることなく必要応じて多様に変わり得る。例えば、巻芯アダプターは、図２に示す第２のころがり軸受１９を備える代わりに、図６に示すように、環状本体１７の一方の端面に該環状本体１７と同心に形成した環状溝３９と、その環状溝３９に収容した複数の球体４０とを備え、巻芯アダプター群において隣り合う関係にある巻芯アダプター１４の環状本体１７同士は夫々球体４０を挟んで互い接するようにしてもよい。また図６に示す巻芯アダプター１４の押圧リング２１は、図２に示すような磁石２３が固着されていないが、例えば炭素鋼のような磁性体できているので、環状本体１７に固着した永久磁石２２によって吸引することができる。図７に示す巻芯アダプター１４は、巻芯Ｃを環状本体５に固定する巻芯固定手段１８が、環状本体１７の外周面に、その外周面を一回りするように形成した溝４１と、該溝４１に装着した、例えばゴムのような比較的摩擦係数が高く弾力性のある素材でできた、溝４１の深さより僅かに大きい直径のリング（Ｏリング）４２とからなり、巻芯Ｃを、その端面が鍔２０に当たるまで環状本体５の外周面に外挿したとき、リング４２が巻芯Ｃの内面により圧縮され、そのリング４２により弾力的に巻芯Ｃの内周面が押圧されて環状本体１７に固定することができるようになっている。
【００２９】
また本発明では、巻芯アダプター群位置決め手段として、図４に示す流体圧シリンダ装置により位置決め環３１を押圧するものの代わりに、中心駆動軸に設けた公知の把持手段（例えば特開昭６２−５１５３７号公報に開示）により位置決め環を中心駆動軸上に固定するようにしたも等を採用することができる。またフリクション巻軸を３本以上備える場合もあり得る。その場合は、フリクション巻軸を２本備える場合に比べて、品質よく巻取可能な帯状シートの最小幅を更に狭くるすことができる。
【符号の説明】
【００３０】
Ｓ０  広幅の帯状シート
Ｓ  細幅帯状シート
Ｋ  スリッター
Ｃ  巻芯
Ｒ  巻取ロール
１  フリクション巻軸
８  中心駆動軸
９  第１のころがり軸受
１０  巻取カラー
１１  摩擦部材
１２  回転力伝達手段
１３  巻取カラー群
１４  巻芯アダプター
１５  巻芯アダプター群
１６  巻芯アダプター群位置決め手段
１７  環状本体
１８  巻芯固定手段
１９  第２のころがり軸受
２０  鍔
２１  押圧リング
２２  永久磁石
２３  永久磁石
２４  把持機構
２５  細溝
２６  球体
２７  保持環
３０  位置決め環
３１  位置決め環
３５  押圧部材
３６  可動腕
３７  流体圧シリンダ装置
３９  環状溝
４０  球体
【図１】
2014118253.tif 000003
【図２】
2014118253.tif 000004
【図３】
2014118253.tif 000005
【図４】
2014118253.tif 000006
【図５】
2014118253.tif 000007
【図６】
2014118253.tif 000008
【図７】
2014118253.tif 000009